(57)【要約】【課題】  陳列時には立体構造となり非陳列時には平坦に折りたたみ収納可能なネックレス等の装飾品陳列用スタンドを提供する。【解決手段】  中心部に開口窓７を有する基板３と、開口窓７の側端近傍に前端部が水平から上方向に限定的角度域で回動可能に支軸１８で後端近傍を支持された支持脚１５と、支持脚１５の前端部２０に限定的角度域で支持脚の裏面方向へ回動可能に連結された平坦な頂部部材２４とを有してなる本体部２を構成し、水平面上に基板３を置き、支持脚１５を回動させて起立させて自立させ且つ頂部部材２４をほぼ水平状態に回動した状態を、支持脚１５および頂部部材２４の各々の最大回動域とする回動規制手段をそれぞれ備え、支持脚および頂部部材をそれぞれ最大回動させた状態の本体部２の表面側から柔軟な化粧用膜体３０を被せてその端縁部を基板３の裏側に引き寄せて緊張状態で係止する。【選択図】        図１
2005058318.tif 000002
【特許請求の範囲】
【請求項１】
中心部に開口窓を有する基板と、前記開口窓の左右側端近傍に前端部が水平から上方起立方向に向けて限定的角度域で回動可能に後端近傍が水平の支軸で支持された支持脚と、該支持脚の前端に限定的角度域で支持脚の裏面方向へ回動可能に連結された平坦な頂部部材とを有してなる本体部を構成するとともに、該本体部を基板裏面が下方に向くように水平面上に置き、前記支持脚を回動させて起立させ、且つ、前記頂部部材をほぼ水平またはやや前傾の姿勢に回動させ、この状態を前記支持脚および頂部部材の各々の最大回動角度域としてこれを超える回動を規制するストッパ手段をそれぞれ備え、前記支持脚および頂部部材をそれぞれ最大回動させた状態の前記本体部の表面側から柔軟な化粧用膜体を被せてその端縁部を前記基板の裏側に引き寄せて緊張状態で係止してなる装飾品陳列用スタンド。
【請求項２】
支持脚の前端には支持脚の支軸と平行の直線状端部を有する一方、頂部部材が円形または楕円形の平坦な部材からなり、該頂部部材の裏面に対し前記支持脚前端の直線状端部を頂部部材の前端側が限定的角度域で支持脚の裏面側方向へ回動可能に連結してなる請求項１に記載の装飾品陳列用スタンド。
【請求項３】
支持脚の表側前端部には凹状段部を有し且つその前端には支持脚の支軸と平行の直線状端部を有する一方、頂部部材が円形または楕円形をなすとともにその裏面後端部には前記支持脚の凹状段部と重なり合う凹状段部を有する平坦な部材からなり、該頂部部材と前記支持脚の互いの凹状段部同士が重なり合うようにして、支持脚前端の直線状端部に対し頂部部材を前端側が限定的角度域で支持脚の裏面側方向へ回動可能に連結してなる請求項１に記載の装飾品陳列用スタンド。
【請求項４】
基板の裏面には、基板周縁に沿って直角方向に突出形成されたループ状の鍔部を設けるとともに、この鍔部には、鍔部の内周面に着脱可能に密接する可撓性材料からなるループ状の保持部材と、該保持部材の係止手段とを備え、化粧用膜体の端縁部を前記鍔部の内周と前記保持部材とに挟持させて係止保持する構成にしてなる、請求項１から３のいずれかに記載の装飾品陳列用スタンド。
【発明の詳細な説明】
【技術分野】
【０００１】
本発明は、装飾品陳列用のスタンドの技術に係わり、更に詳しくはネックレス、ペンダント、ブレスレットなどといった環状の装飾品をショーケースなどに陳列するスタンドであって、装飾品の陳列時にはヒトの胸部をイメージする立体構造となり且つ非陳列時には平坦に重ねてコンパクトに折りたたみ収納可能な装飾品陳列用スタンドに関するものである。
【背景技術】
【０００２】
ネックレスなどの装飾品をショーケースなどに陳列するスタンドとしては、例えば、紙材などの片面に装飾的色彩の施された紙や布を張り付けた板状の基体の長手方向両端部に、基体を相互に係合する係合部を設け、該基体の面の幅方向に沿って第１の折り目と第２の折り目とを形成し、第１および第２の折り目の間を正面に、第１の折り目と基体の一方の端部間を裏面に、第２の折り目と基体の他方の端部間を底面にそれぞれ形成して、前記正面の一部分を切って内側に折り曲げ、その部分を装飾品の載置部に形成したネックレス用スタンドが知られている（例えば、特許文献１参照。）。このネックレス用スタンドは、構造が簡単で低価格で製作でき、且つ非陳列時には基体両端部同士の係合部を外し、陳列時には再度係合させることができて収納時のスペースをとらないといった利点がある反面、高級感を備えておらず、高価な装飾品を引き立てる目的からすると必ずしもふさわしいものとはいえず、また、係合部を外したり係合させたりを繰り返すと損傷し易いといった難点がある。
【０００３】
この問題の改善策として、例えば、ヒトの首の中間部から胸部に至る部分を立体的に成形した飾り表面体と、この飾り表面体の内側に固定された足収納体と、この足収納体に対し非陳列時には埋没状に収納されると共に、陳列時には外方へ引き出される二つ折れ足部とから成り、この二つ折れ足部は上側足部と下側足部が枢止ピンを介して接続され、上側足部の上端部が前記足収納体のガイド溝に嵌合すると共に、下側足部の下端部が足収納体の下部に回動可能に固定された陳列用装身具スタンドが従来から知られている（例えば、特許文献２参照。）。この陳列用装身具スタンドは、飾り表面体が後方に大きく湾曲した胸部と、その胸部の上部に斜め上方に突出する首部とを備え、奥行き方向には相当の厚みのある立体形状を有している。そのため非陳列時に二つ折れ足部を足収納体に収納しても、奥行き方向にかなりの厚みがあり、限られた収納容積に多数を収納することができないといった難点がある。また、最近使用されているものとして、図１０に示す装飾品陳列用スタンド４０がある。この装飾品陳列用スタンド４０は、平板状の水平の基板４１と、基板４１の中心よりもやや後方に垂直に立設した支柱４２と、支柱４２の上端に水平に設けた円形の頂部４３とを有する芯部材を形成するとともに、該芯部材の頂部４３から基板４１の外周を覆って化粧用の布４４を被せ、化粧布４４の端縁を基板４１の裏面に引き寄せて緊張状態で係止固定した構成からなる。この装飾品陳列用スタンド４０は、化粧用の布４４で覆われた芯部材が折りたたみできないため、非陳列時に広い収納スペースが必要で、持ち運びにも不便である。
【特許文献１】実用新案登録第２５９２５７３号公報（第２頁、図１，図２）
【特許文献２】特開２００２−１０２０２８号公報（第２頁、図１，図２）
【発明の開示】
【発明が解決しようとする課題】
【０００４】
上記の状況に鑑み本発明が解決しようとする課題は、装飾品の陳列時にはヒトの首部から胸部に至る部分の形状をイメージする立体構造となて装飾品を首に掛けた状態を想像させる形態で陳列することができ、且つ、装飾品の非陳列時には平坦に折りたたんでコンパクトに収納することができ、折りたたみ収納と持ち運びに便利な装飾品陳列用スタンドを低価格で提供することにある。そして本発明が解決しようとする他の課題は、装飾品陳列用スタンドの表面を、簡単に着脱可能な滑らか且つ柔軟な布または伸縮性を備えた膜体（本明細書ではこれらを総称して「化粧用膜体」と記載する）で形成するとともに、該化粧用膜体の取り付けおよび取り外し或いは付け替えの作業が迅速に行え、しかも化粧用膜体に皺が発生せず美しい表面が形成されるようにすることにある。
【課題を解決するための手段】
【０００５】
前述の課題を解決するため、本発明では、中心部に開口窓を有する基板と、前記開口窓の左右側端近傍に前端部が水平から上方起立方向に向けて限定的角度域で回動可能に後端近傍が水平の支軸で支持された支持脚と、該支持脚の前端に限定的角度域で支持脚の裏面方向へ回動可能に連結された平坦な頂部部材とを有してなる装飾品陳列用スタンドの本体部を構成する。この本体部は、水平面上に基板裏面を下方に向けて置き、前記支持脚を回動させて起立させた状態で、且つ、前記頂部部材をほぼ水平にまたはやや前傾姿勢に回動させることが可能とする。そしてこの状態を前記支持脚および頂部部材の各々の最大回動角度域とし、これを超える回動を規制するストッパ手段をそれぞれ設ける。前記支持脚および頂部部材をそれぞれ最大回動させた状態で、前記本体部には表面側から柔軟な化粧用膜体を被せてその端縁部を前記基板の裏側に引き寄せて緊張状態で係止する。以上のようにして装飾品陳列用スタンドを構成する。
【０００６】
なお、基板、および支持脚と頂部部材は、２つの部材としてそれぞれをポリプロピレン樹脂、またはその他の適宜の合成樹脂の射出による一体成形で製作してもよいが、木材または金属など適宜の材料で製作してもよい。そして化粧用膜体については、滑らかで且つ柔軟な布または伸縮性を備えた基布や薄膜状のゴムなどを用いて製作する。膜体端縁部を基板の裏面に緊張状態で係止する方法は、例えば化粧用膜体の端縁部に沿ってゴムなどの伸縮性を備えた紐状部材を環状にしてくくりつけるか、或いは、基板の裏面に鋲またはファスナーなど適宜の手段で取り外し可能に係止する方法でもよい。
【０００７】
化粧用膜体で形成する表面形状をより一層ヒトの胸部をイメージした形状に近づけて美的に表現する手段としては、支持脚は、前端に支持脚の支軸と平行の直線状端部を備え、頂部部材は円形または楕円形の平坦な部材で構成し、該頂部部材の裏面に対し前記支持脚前端の直線状端部を頂部部材の前端側が限定的角度域で支持脚の裏面側方向に回動可能に連結すると都合がよい。或いは、支持脚は、表側前端部に凹状段部を設け且つその前端に支持脚の支軸と平行の直線状端部を備え、且つ、頂部部材は円形または楕円形をなすとともに裏面に前記支持脚の凹状段部と重なり合う凹状段部を有する平坦な部材で構成し、該頂部部材と前記支軸脚の互いの凹状段部同士が重なり合うようにして、支持脚前端の直線状端部に前記頂部部材を前端側が限定的角度域で支持脚の裏面側方向に回動可能に連結する。この様な構成は、上記の作用を実現することに加え、本体部を折りたたんだ際の収納形態を更に薄くする手段として好都合である。
【０００８】
更に、基板の裏面には基板周縁に沿って直角方向に突出形成されたループ状の鍔部を設けるとともに、この鍔部には、鍔部の内周面に着脱可能に密接する可撓性材料からなるループ状の保持部材と、該保持部材の係止手段とを備え、化粧用膜体の端縁部を前記鍔部の内周と前記保持部材とに挟持させて係止保持する構成にする。この構成は化粧用膜体を皺にならないように簡単に装着する手段として都合がよい。保持部材は、ポリプロピレン樹脂などの合成樹脂またはバネ鋼などを用いて形成すると可撓性を備えることができる。
【発明の効果】
【０００９】
以上にしてなる請求項１に係る発明の装飾品陳列用スタンドは、装飾品の陳列時には頂部部材から半径方向下方に向けて緩やかな曲線で広がる化粧用膜体の斜面が、本体の後方が急傾斜で前方が緩やかな傾斜で且つ高さ方向中間部が下垂湾曲する美しい表面を形成し、意匠的にも優れた美しい形態を呈し、ヒトの首の中間部から胸部に至る部分の立体的形状をイメージさせることもできることから、ネックレスなどの装飾品を首に掛けた状態を想像させる形態で陳列することができる。また、装飾品の非陳列時には、化粧用膜体を取り外し、支持脚を倒して頂部部材とともにそれぞれ基板に重なるように平坦に折りたたんでコンパクトに収納し、大量に持ち運ぶ際に便利なことから、ネックレスやペンダント或いはこれらに類似の数珠やブレスレット等といった物品の出張販売または出張展示或いは露天商の商品陳列などにも利用できる、などといった作用効果が得られる。そして、本体部、および、支持脚と頂部部材は、それぞれポリプロピレン樹脂など適宜の合成樹脂を用いて射出成形などで一体成形する事も可能で可能であり、陳列時には美しい曲面を備えた立体構造にする機能を備え且つ低価格で製作することができるといった効果がある。
【００１０】
請求項２による装飾品陳列用スタンドは、頂部部材から半径方向下方に向けて緩やかな曲面で広がる化粧用膜体の斜面の頂部が、ヒトの首の回りに類似する円形または楕円形になり、より一層自然な状態に近づけて陳列することができるといった作用効果が得られる。また請求項３による装飾品陳列用スタンドは、上記と同様の作用効果が得られるとともに、更に、支持脚と頂部部材とをほぼ同じ厚さで且つ互いの凹状段部を前記厚さの約半分の段差に形成した場合、支持脚と頂部部材とをそれぞれ基板に重なるようにして装飾品陳列用スタンドを平坦にたたんだ際に、支持脚の表裏面と頂部部材の表裏面とがそれぞれほぼ同一平面となり、収納時の全体の厚さを更に薄くコンパクトにすることができるといった作用効果が得られる。
【００１１】
請求項４による装飾品陳列用スタンドは、化粧用膜体の係止手段として、基板の裏面に基板周縁に沿って直角方向に突出形成されたループ状の鍔部を設け、この鍔部には、内周面に着脱可能に密接する可撓性材料からなるループ状の保持部材と、該保持部材の係止手段とを備えて構成したので、化粧用膜体の端縁部を前記鍔部の内周と前記保持部材とに挟持させて簡単に係止保持できる。即ち、化粧用膜体の取付および取り外しの作業が迅速に行え、且つ化粧用膜体を基板の全周に対し均等に緊張させることができるので、化粧用膜体に皺が発生せず滑らかで美しい表面が形成されるといった作用効果が得られる。
【発明を実施するための最良の形態】
【００１２】
本発明を実施するための最良の形態について添付図面に基づき説明するが、本発明は、以下に記載する説明と添付図面の実施形態に限るものではなく、特許請求の範囲に記載の要件を備えたものすべてを含む。本発明の装飾品陳列用スタンドの実施例を図１から図６に示す。図１は、装飾品陳列用スタンドの外観をネックレスを陳列した状態で示す斜視図である。図１の装飾品陳列用スタンドの本体部のみを図２に示す。図３にはその本体部の各構成部材を展開して示し、図４は本体部を折りたたんだ状態を平面図で示す。図５は組立方法を２点鎖線の矢線で示し、図６には組立状態を中心の前後方向垂直断面で示す。
【００１３】
図において、装飾品陳列用スタンド１は、平坦に折りたたみ収納可能な本体部２と、この本体部２の表側の全体を覆って滑らかな立体的表面を形成する柔軟な化粧用膜体３０とで構成される。本体部２は、中心部に開口窓７を有する基板３と、該基板３の重心点よりも後方における開口窓７の左右側端近傍に、基板３の裏面５の方向へ向け後端部１９が限定的角度域で回動可能に後端側寄りの中間部を水平の支軸１８で支持した（即ち、前端部が水平から上方起立方向に向けて限定的角度域で回動可能に後端近傍を水平の支軸１８で支持した）平板状の支持脚１５と、支持脚１５の前端部に支軸１８と平行に形成された直線状端部２０に対し、この直線状端部２０を中心に限定的角度域で支持脚１５の裏面１７の方向へ向け回動可能に連結された平坦な頂部部材２４とを有して構成される。頂部部材２４は、表面２５が平坦で、前端側周縁部２７が円弧状で且つ後部に直線状部２７ａを有する略半月状に形成され、この直線状部２７ａが前述の支持脚前端の直線状端部２０に向かい合う状態で柔軟且つ強靱な膜状部材を介して曲折可能に連結されてヒンジ部２０を構成している。
【００１４】
なお、基板３、および支持脚１５と頂部部材２４は、２つの部材としてそれぞれをポリプロピレン樹脂などの合成樹脂材で射出による一体成形で製作し、支持脚１５と頂部部材２４とが合成樹脂材の薄膜部でつながるように、成形金型はそれぞれ部材の成形部を近接させ且つ互いを狭い隙間のスリット部で連通させておく。このスリット部で成形される薄膜部がヒンジ部２０となる。或いは、基板３、支持脚１５、頂部部材２４を木材または金属などの材料でそれぞれ個別に製作する場合、ヒンジ部２０は、支持脚１５と頂部部材２４とを適宜の蝶番機構を介して連結するか、または柔軟且つ強靱なテープ状部材を両部材にまたがるようにして貼り合わせて連結するなどの方法で構成する。
【００１５】
支持脚１５および頂部部材２４の各々の回動域については、本体部２を水平面上に置き、支持脚１５を回動して起立させ、基板３の前端部とこの支持脚１５の後端１９とを水平面上に接しさせて基板３を前傾姿勢で傾斜支持し、且つ、頂部部材２４をほぼ水平またはやや前傾の姿勢になるまで回動させることが可能な範囲とする。そしてこの状態をそれぞれの最大回動域に設定する。支持脚１５が前記状態以上に回動しないように規制するストッパ手段として、支持脚の最大回動時に支持脚１５の裏面１７（起立状態では前方に向いた面となる）に当接するストッパ部９を、支持脚支持部近傍の開口窓７の内部に設ける。このストッパ部９は、開口窓７を左右連結する細い部材で図示しているが、図示の形態に限らず開口窓７の内側に向け突出する部材であればよく、基板３の表面に設けてもよい。
【００１６】
また、頂部部材２４が前記状態以上に回動しないように規制するストッパ手段として、頂部部材２４の支持脚１５との連結部近傍に頂部部材２４の最大回動時に支持脚１５の裏面１７に当接するストッパ部２８を頂部部材２４の裏面２６から突設する。ストッパ部２８は、頂部部材２４の後端から垂直下方に延びる端面が、支持脚１５の起立時に支持脚１５の裏面（起立時の支持脚１５の前方側面）に当接して、頂部部材２４を水平またはやや前傾姿勢で支持する。従って、頂部部材２４とこの当接端面との相対角度を直角または直角よりもやや小さくする。図示の例では、ストッパ部２８は三角形の板状部材を３枚平行に配置して構成しているが、成形金型の設計の都合で３枚に分けずに一つの部材としてもよい。ストッパ部２８は支持脚１２裏面の頂部部材２４との連結部近傍に設けてもよい。
【００１７】
支持脚１５が基板３を前傾姿勢で支持して自立できるようにするため、基板３を支持脚１５で水平面上に傾斜支持した際に、支持脚１５の前記水平面に接する地点即ち支持脚の後端１９の位置が、その傾斜支持状態における本体部２の重心点（図示しない）よりも後方に位置し、且つ、前記図示しない重心点が支持脚１５の後端１９の横幅即ち前記水平面との接触部の左右端間に位置する関係に設定する。また、起立させた支持脚１５が振動や自重でもとの水平方向に回動して折りたたまれてしまうことのないようにするため、支軸１５と基板３の支軸係止部８との嵌合をややきつくするか、或いは、支持脚１５の起立時の角度が垂直よりもやや後方傾斜する状態、つまり支持脚１５の後端部即ち水平面への接地端部が支持脚の起立状態で支持脚１５の支軸１８からこの水平面におろした垂線よりも前方にあり且つ支持脚１５の裏面１７がストッパ部９に当接支持される関係にする。
【００１８】
そして、本体部２の表側にヒトの胸部をイメージする滑らかな立体的曲面を形成するため、支持脚１５および頂部部材２４をそれぞれ最大回動させた状態にして、頂部部材２４の表面２５の上から本体部２の全面を覆う化粧用膜体３０を被せ、この化粧用膜体３０の端縁部を基板３の裏側に引き寄せて緊張状態にして基板の裏面５の側で係止する。これにより、化粧用膜体３０の表面の斜面３１が、本体２の後方が急傾斜で前方が緩やかな傾斜で且つ高さ方向中間部が下垂湾曲する美しい表面を形成し、ヒトの首部から胸部をイメージする立体的曲面となる。この首部に相当する頂部部材２４から下方に広がる緩やかな斜面３１の部分に例えばネックレス３５を掛けて図１に示す如く展示し陳列することができる。化粧用膜体３０は、意匠的にも美しく映る滑らかな曲面の表面を形成するため、伸縮性を備えた布地または薄膜状のゴムシートなどを用いる。化粧用膜体３０として布地を用いる場合、薄く且つ繊維間の隙間が多い柔軟な基布を用いるのが好ましく、伸縮性を備えた紡糸、繊維、または糸を用いてなる織布または不織布を用いるのが更に好ましい。
【００１９】
つぎに、基板３の構造について更に詳しく説明する。基板３は、平坦な部材に形成され、その周縁部６は、図示の例では、前端部は長径が前後方向に向く縦形でやや円形に近いの略半楕円弧となり、後端部は長径が左右方向に向く横形で細長い略半楕円弧となり、この前部略半楕円の短径が後部略楕円の長径に向かい合う関係で且つ互いの楕円弧の端部が滑らかな曲線で連らなる様に形成した外郭形状を備える。但し本発明の実施においてはこの形状に形成することに限定はしない。そして開口窓７は、基板３の前後方向中心線に対し左右対称形で、基板の後端部近傍に形成した横長で略矩形の後部開口窓７ｂと、該後部開口窓７ｂに接してその前方側に形成した縦長で略矩形の前部開口７ａとを略Ｔ字状に配置してなる。そして前部開口窓７ａの後方端近傍は若干左右に拡幅してその拡幅部の前方に、支持脚１５の支軸１８を回転可能に係止するための支軸係止部８，８を基板３の表面４に設ける。支軸係止部８，８は、後方に支軸１８の直径よりもやや狭い開口を有する鉤状部材である。そして支軸係止部８，８に、支持脚１５の中間部の左右端に突設した支軸１８，１８を引っ掛けて支持脚１５を基板３の表面４に沿って前方に押すと、鉤状部が弾性範囲内で変形して口を広げ、支軸８，８が支軸係止部８，８の鉤状部の内部に回転可能に係合保持される。支軸係止部１８，１８のやや前方には、図示の如く前部開口窓７ａの左右端縁を連結する部分を設けて支持脚１５のストッパ部９とする。
【００２０】
つぎに、支持脚１５と基板３の前記開口窓７との互いの形状的関係について説明する。支持脚５の後部は、前記後部開口窓７ｂを基板の表裏方向に交差して出入り可能なように外周を後部開口窓７ｂよりも若干小さくする。支持脚１５の前部は、基板３の前部開口窓７ａの幅よりも若干狭くし、図示の如く支持脚１５の幅狭部分の左右側端の幅変更部近傍に支軸１８，１８を水平に突設する。そして支持脚前端は支軸１８，１８と平行の直線状端部に形成し、この直線状端部２０に頂部部材２４の後端を曲折可能なヒンジ機能を備えた形態で連結する。そして前記ストッパ部９は、支持脚１５の支軸１８を支持する支軸係止部８のやや前方寄りの位置に、支持脚１５の垂直起立状態を若干超える回動状態で支持脚１５の裏面１７当接してそれ以上の回動を規制する関係位置に設ける。頂部部材２４の横幅は、前部開口窓７ａの横幅寄りも広くして、支持脚１５が基板３表面４と平行に折りたたまれた際に頂部部材２４が基板３の表面４に接して保持される関係にすると共に、その状態で蝶番部材の裏面に突出するストッパ部２８が基板３の前部開口７ａ内に収納される関係にする。
【００２１】
一方、装飾品陳列用スタンド１の本体部２の表側全域を覆った化粧用膜体３０の端縁部を基板３の裏面５側で係止する手段として、基板３の裏面５には、裏面５から垂直に突出する鍔部１０を基板の周縁部６に沿って全周に亘ってループ状に形成している。そして基板３の前後左右の部位に、鍔部１０の端部から基板３の中心方向に向けて突出する複数の係止爪１１を配設している。鍔部１０には、係止爪１１で係止保持されるループ状の保持部材１２を鍔部１０の内周面に接する状態で取り付ける。この保持部材１２は、可撓性と適度な剛性とを備えたポリプロピレン樹脂などの合成樹脂材（または例えばバネ鋼でもよい）で形成し、鍔部１０に着脱可能に密接して取り付け可能にする。このような構成にすることで、化粧用膜体３０の端縁部を基板３の裏側に引き寄せて緊張させ、鍔部１０の内周と保持部材１２とに挟持させて係止爪１１で保持部材１２を係止保持すると、化粧用膜体３０は基板３の全周方向にほぼ均等に緊張力が作用した状態で係止することができ、偏りや皺の発生を防ぐことが可能である。
【００２２】
つぎに、支持脚と頂部部材に関し上記とは異なる実施形態を図７、図８、図９に基づいて順次説明する。なお、図７〜９においては、前述の実施例と同じかまたはほぼ同じ形態からなる構成部材については、前述の実施例と同じ符号で示している。そして、図７〜８の実施例には基板を示さず、また、図９の実施例には基板の平面を示していないが、図７〜９のどの実施例においても、前述の実施例の基板３を用いて本体部を構成することができる。
まず、図７の実施例は、頂部部材の周縁部の形状、および、該頂部部材の支持脚前端部との連結位置が前述の実施例と異なる。図７の（ａ）は平面、（ｂ）は前後方向中心に沿う断面、（ｃ）は支持脚の起立状態で示す側面、をそれぞれ示している。この例では、支持脚１５ａは、前端に支持脚１５ａの支軸１８と平行の直線状端部２０ａを有する一方、頂部部材２４ａがほぼ円形に近似する楕円形の平坦な部材からなり、該頂部部材２４ａの裏面の中間部のやや後方に支持脚１５ａの前端の直線状端部２０ａを回動可能に連結している。この直線状部２０ａの頂部部材２４ａとの連結部の構造は前述の実施例の説明と同様のヒンジ機能を備えた機能構成にする。そして頂部部材２４ａと支持脚１５ａとの連結部には、前述の実施例の説明と同様のストッパ部２８ａを設け、支持脚１５ａの起立状態で頂部部材２４ａが水平またはやや前傾姿勢まで回動可能で、それを超える回動が規制される様に構成している。この実施例は頂部部材２４ａの周縁部が全周に亘って円に近い完全な楕円形をなしている。そのため本体の上面に被せる化粧膜体が角張った傾斜面を形成することなく、滑らかでより自然な感覚の曲面を形成することができる。
【００２３】
つぎに、図８の実施例は、頂部部材の周縁部の形状、および、該頂部部材の支持脚前端部との連結位置は図７の実施例と類似するが、その連結部の構造が異なる。図８は図７に対応して示し、図８の（ａ）は平面、（ｂ）は前後方向中心に沿う断面、（ｃ）は支持脚の起立状態で示す側面、をそれぞれ示している。この例では、支持脚１５ｂの表側前端部に凹状段部２１を設け、且つ、該凹状段部２１の上面前端には支持脚１５ｂの支軸１８、１８と平行の直線状端部２０ｂを有する一方、頂部部材２４ｂはほぼ円形に近似する楕円形の平坦な部材からなり、該頂部部材２４ｂの裏面には支持脚１５ｂの凹状段部２１に重なり合う凹状段部２９を有する。そして、互いの凹状段部２９，２１同士が重なり合うようにして、頂部部材２４ｂの凹状段部基端のエッジ部２９ａに支持脚の凹状段部２１の前端の直線状部２０ｂが近接する状態で、該直線状端部２０ｂを前記エッジ部２９ａに連結している。この連結部の構造は前述の実施例の説明と同様のヒンジ機能を備えた機能構成にする。そして頂部部材２４ｂと支持脚１５ｂとの連結部には、前述の実施例の説明と同様のストッパ部２８ａを同様の相対的関係に設け同様に機能させる。なお、支持脚１５ｂの凹状段部２１は、頂部部材２４ｂの後端部の楕円弧に係合するような楕円弧状にすると美観を備えて都合ががよい。図８の実施例は以上のように構成することにより、図７の実施例と同様の作用効果に加えて、折りたたみ収納時には支持脚１５ｂと頂部部材２４ｂの双方の凹状段部２１，２９が互いに重なり合うことにより、頂部部材２４ｂが基板３の表面４に接する状態で折りたたまれ、より一層コンパクトに収納できる。
【００２４】
つぎに、図９は、支持脚の支軸から後方の長さを短くした装飾品陳列用スタンドの実施例を示す。図９に示す装飾品陳列用スタンド１ａにおいて、本体部２ａを構成する支持脚１５ｃおよびその前端に連結した頂部部材２４のうち、支軸１８，１８から前方側（図におけり支軸１８の上方）については、前述の説明のそれぞれの実施例のいずれかと同様の形態とする。そして支持脚１５ｃの支軸１８，１８から後方側（ずにおける支軸１８の下方）については、基板３の表裏間の厚さにほぼ等しいかそれ以下の長さにとどめた構造となっている。支持脚１５ｃは、前端部を上方に向けて回転可能に、基板３の開口部７の左右の支軸係止部８，８で支軸１８，１８を支持する。以上の構成により、支持脚１５ｃを自立させた際には、支持脚後端が基板３の裏面５一致するかそれよりも上方に位置し、且つ、その後端が基板３の開口部７に設けたストッパ部９に当接係止された状態で、支持脚１５ｃを起立支持する。この装飾品陳列用スタンド１ａの作用効果は、前述の説明のそれぞれの実施例と同様であるが、更に、起立した支持脚３ｃで基板３を傾斜支持せず、本体部は板３の裏面全体が水平面に接するので、安定姿勢で装飾品を陳列することができる。また、前述の実施例のように本体部を安定支持する観点から支持脚１５ｃの後端部を幅広にするといった必要がなく、単純な形状にすることができて製造コストも低減できる。
【００２５】
本発明の装飾品陳列用スタンドは、上記それぞれの実施例いずれの場合も、平坦に折りたたみ可能な本体部と、化粧用膜体と、その膜体の係止手段とで構成され、且つ、本体部の構成部材は合成樹脂材の押し出し成形でも容易に形成可能である。また立体的表面は布やゴムの薄膜などといった安価な素材で美的に製作できる。従って、製作と組み立てが簡単に行え、立体的な固形物で製造する場合に比べて製造コストを大幅に低減できる。一方、化粧用膜体は、陳列物の色やデザインに対応可能なように予め多種類の異なる色彩や模様柄のものを用意してこれらから適宜選択する、などといったことが自由に簡単に行え、展示物のイメージチェンジが容易に行え、高級装飾品を引き立てて陳列できるといった作用効果も得られる。或いはまた、化粧用膜体を半透明の素材で形成ものを用いて、内側の本体部との空間部に照明を内蔵させて装飾品を陳列するといったことも容易に可能である。
【産業上の利用可能性】
【００２６】
本発明の装飾品陳列用スタンドは、装飾品を販売する宝飾店などにおいて、ショーウインドウやショーケースにネックレスやペンダントまたはそれらと類似形態の装飾品を陳列する際に、その陳列用スタンドとして利用されるほか、例えば仏具店で数珠を陳列する用途にも利用できる。そのほか、博物館や各種催し物の展示会場で前記物品を展示する目的にも利用することができる。そして、化粧用膜体を取り外して本体部を平坦に折りたたんでコンパクトに収納して大量に持ち運びする際に便利なことから、上記物品の出張販売または出張展示或いは露天商の商品陳列などにも利用できる。
【図面の簡単な説明】
【００２７】
【図１】本発明に係る装飾品陳列用スタンドの実施例を示し、ネックレス陳列状態で示す斜視図である。
【図２】図１における化粧用膜体を取り外して本体部のみを示す図である。
【図３】図２の本体部の各構成部材を展開して示す図である。
【図４】図２の本体部を折りたたんだ状態で示す平面図である。
【図５】装飾品陳列用スタンドの組み立て手順を側方から見た状態で示す図である。
【図６】組み立てた状態を中心前後方向に垂直断面にして側方から見た図である。
【図７】支持脚部と頂部部材との連結部の変形実施例を示し、（ａ）は平面、（ｂ）は前後方向中心に沿う断面を示す図、（ｃ）は支持脚の起立状態で示す側面図である。
【図８】支持脚部と頂部部材との連結部の更に変形した実施例を示し、（ａ）は平面、（ｂ）は前後方向中心に沿う断面を示す図、（ｃ）は支持脚の起立状態で示す側面図である。
【図９】本発明に係る装飾品陳列用スタンドの別の実施例を示し、前後方向中心に沿う断面を示している。
【図１０】従来の装飾品陳列用スタンドの一例を示している。
【符号の説明】
【００２８】
１，１ａ  装飾品陳列用スタンド
２，２ａ  本体部
３  基板
４  表面
５  裏面
６  周縁部
７  開口窓
７ａ  前部開口窓
７ｂ  後部開口窓
８  支軸係止部
９  ストッパ部
１０  鍔部
１１  係止爪
１２  保持部材
１５，１５ａ，１５ｂ，１５ｃ  支持脚
１６  表面
１７  裏面
１８  支軸
１９  後端（接地部）
２０，２０ａ，２０ｂ  直線状端部（ヒンジ部）
２１  凹状段部
２４，２４ａ，２４ｂ  頂部部材
２５  表面
２６  裏面
２７  周縁部
２７ａ  直線状部
２８，２８ａ  ストッパ部（突起）
２９  凹状段部
２９ａ  エッジ部
３０  化粧用膜体
３１  斜面
３５  ネックレス
４０  装飾品陳列用スタンド
４１  基板
４２  頂部
４３  化粧用の布
【図１】
2005058318.tif 000003
【図２】
2005058318.tif 000004
【図３】
2005058318.tif 000005
【図４】
2005058318.tif 000006
【図５】
2005058318.tif 000007
【図６】
2005058318.tif 000008
【図７】
2005058318.tif 000009
【図８】
2005058318.tif 000010
【図９】
2005058318.tif 000011
【図１０】
2005058318.tif 000012